(57)【特許請求の範囲】
【請求項１】
魚巣としての空洞を内部に有する直方体の本体と、この本体の水または海水の流れの下流方向に面している２側壁にそれぞれ設けられ上記空洞と外界とを連通する魚の出入口と、上記本体の下部に設けられ周囲に略水平方向に伸延して上記本体の対角線に対して略平行な縁を周囲に有する略正方形の基礎部とを有し、上記基礎部の水または海水の流れの下流方向の部分には土砂の通過が可能な上下方向の貫通孔が形成されていることを特徴とする魚巣付きブロック。
【請求項２】
請求項１に記載の魚巣付きブロックにおいて、上記基礎部の、水または海水の流れの上流方向の部分にも土砂の通過が可能な上下方向の貫通孔が形成されていることを特徴とする魚巣付きブロック。
【請求項３】
請求項１に記載の魚巣付きブロックにおいて、上記本体の上部より上記基礎部の周縁に平行な突起が四方に向けて伸延していることを特徴とする魚巣付きブロック。
【請求項４】
請求項１に記載の魚巣付きブロックにおいて、上記魚の出入口の最下縁は、上記空洞の下底面と略同一の高さであることを特徴とする魚巣付きブロック。
【請求項５】
請求項１に記載の魚巣付きブロックにおいて、上記本体及び基礎部は、上記本体の対角線を通る縦の分割面で分割された第１及び第２のブロック半部を上記分割面において互に結合して組立てられていることを特徴とする魚巣付きブロック。
【請求項６】
請求項５に記載の魚巣付きブロックにおいて、上記第１のブロック半部の上記分割面には凸部を設け、上記第２のブロック半部の上記分割面には上記凸部に相補的に結合できる凹部を設けたことを特徴とする魚巣付きブロック。
【請求項７】
請求項１記載の魚巣付きブロックにおいて、その複数個をそれぞれの基礎部の周縁同士が互に接する関係で並べて設置した状態で相互間の配置関係が崩れるのを防ぐための連結具を上記各基礎部の相互間に設けたことを特徴とする魚巣付きブロック。
【請求項８】
請求項１に記載の魚巣付きブロックにおいて、その複数個をそれぞれの基礎部の周縁同士が互いに接する関係で並べて配置し、上記基礎部を川底または海底の土砂中に埋没させたことを特徴とする魚巣付きブロック。
【発明の詳細な説明】
【０００１】
【発明の属する技術分野】
この発明は、河川若しくは用水路等の底、又は海底に設置する魚巣付きブロックに関する。
【０００２】
【従来の技術】
川底に設置することにより魚を繁殖させるための従来の十字形ブロックを図７及び図８を参照して説明する。図７は、十字形ブロック１の使用状態を示す平面斜視図であり、複数の十字形ブロック１を互いにボルト２により連結して川底３に設置した状態を示す図である。図８は、川底３に設置されている複数の十字形ブロック１のうちの１つを示す正面図である。この十字形ブロック１は、平面形状が十字の形状であって、所定の厚みを有するものであり、下方部になるに従って細くなっている。
【０００３】
この十字形ブロック１を設置するときは、図８に示すように、各十字形ブロック１を立てた状態で川底３に堆積している土砂及び小石の層４にその下部を埋め込み、この土砂等の層４の上に直径が約６０〜２６０ｍｍ程度の栗石５を積んでこの栗石５の層６により各十字形ブロック１を保持させる。
十字形ブロック１は、河川の岸壁に沿って川底３に設置することにより、これら十字形ブロック１が設置されている近辺において、栗石５どうしの隙間を流れる水の速度を低下させることができる。これによってこれら十字形ブロック１の近辺の栗石５どうしの隙間に魚の生息し易い環境を作ることができ、魚の産卵を増加させることができる。
なお、栗石５どうしの隙間は、魚が通ることができる広さであり、図７及び図８に示す方向７に川の水が流れている。
【０００４】
【発明が解決しようとする課題】
しかし、従来の十字形ブロック１では、流水速度を低下させることができるが、この十字形ブロック１の傍に産みつけられた魚の卵が水に流される可能性が高く、従って、魚を効率よく繁殖させることができないという問題がある。
そして、十字形ブロック１は、コンクリート製であって一体ものであるために、１つの重量が重く（約６００ｋｇ）、そのために、運搬及び施工がしにくく手間と費用が嵩むという問題がある。
【０００５】
また、従来の十字形ブロック１では、川の水の流れによって川上から運ばれてきた土砂及び小石の一部がこの設置されている十字形ブロック１の川上側の側面８にせき止められて堆積し、この側面８にせき止められた土砂等が十字形ブロック１を川下側に押す力として働く。一方、十字形ブロック１の川下側の側面９の近傍の土砂等４ａは、流水によって川下側に運ばれて、川底３のその部分に窪みが形成されることとなり、これによって、十字形ブロック１の川下側の側面９の近傍の栗石５がその窪みに崩れ落ち、その結果、十字形ブロック１を川下側から支持することができなくなる。
このようにして上記のような状況が進むと、各十字形ブロック１を互いに連結するボルト２に各ブロックの重量が掛かって各ボルト２が曲がり、各十字形ブロック１が川下側に傾くこととなり、見栄えが悪くなるという問題がある。
【０００６】
本発明は、魚を効率よく繁殖させることができ、運搬及び施工が容易であり、更に、水の流れによって傾きにくい魚巣付きブロックを提供することを目的とする。
【０００７】
【課題を解決するための手段】
本発明は、魚巣としての空洞を内部に有する直方体状の本体を対角線が水または海水の流れの方向にほぼ一致するように配置し、この本体の下部に、周囲へ略水平に伸延する略正方形の基礎部を設けたものである。上記本体には上記流れの下流方向に面する側壁に空洞と外界とを連通する魚の出入口が設けられている。また、上記基礎部は、上記本体の対角線に対して略平行する縁を周囲に有している。
【０００８】
望ましい実施形態では、上記本体の上部には、その角隅部分から上記対角線方向に４個の突起が四方へ向けて伸延し、その先端は上記基礎部の周縁の真上に達している。
【０００９】
上記本体の魚の出入口の最下縁は上記空洞の下底面と略同一の高さであることが望ましい。また、上記基礎部の、少なくとも上記流れの下流側の部分には、土砂の通過が可能な上下方向の貫通孔を有し、上記流れの上流側の部分にも同様な貫通孔を設けることが望ましい。
【００１０】
上述の魚巣付きブロックは、上記本体の一方の対角線に沿って分割した２個の部分に分けて製造するのが、製造、運搬、施工の面で有利である。分割した２個の部分は、一方の凸部が他方の凸部に係合する関係で結合できるようにするのが望ましい。
【００１１】
上述の魚巣付きブロックは、その複数個をそれぞれの基礎部の周縁同士が互に接する関係で配置して、その基礎部を川底または海底の土砂中に埋没させて設置する。その場合各ブロックの配置関係が崩れるのを防ぐためにブロック同士を適当な連結具によって互に結合することが望ましい。
【００１２】
そして、ブロックの基礎部を覆っている土砂の上には、上記本体上部の突起の下方位置まで栗石の層を設けることが望ましい。
【００１３】
上述のように本発明による魚巣付きブロックは、設置された状態では基礎部が水底または海底の土砂中に埋没され、その上に栗石が積まれているので堅固に設置され、かつ水流は本体の側面に４５°方向から衝突するので、水流による抵抗が少ない。しかも、水流によってブロックの上流側に土砂が堆積し、下流側の土砂は基礎部の下方から水流によって運び出される傾向があるが、上流側に堆積した土砂は基礎部に設けた上下方向の貫通孔を通って基礎部の下面へ移動するので、ブロックの安定状態を維持することができる。そして、本体上部から周囲へ伸延する４本の突起は、水流中にあって消波作用を営む。
【００１４】
また、本発明による魚巣付きブロックでは、本体内の空洞と外界とを連通する魚の出入口が、水流の下流方向へ向かって開口しているので、土砂等の水流による空洞内への搬入が少なく、かつ出入口の最下縁が空洞の下底面と同一の高さにあるために堆積した土砂は速やかに搬出されるので、常に魚類の生育環境を良好に維持することができる。
【００１５】
そして、本発明による魚巣付きブロックは、２分割して製造し、後から各半分を合体させるものであるため、製造及び運搬の面で便利である。
【００１６】
【発明の実施の形態】
本発明に係る魚巣付きブロックの一実施形態を各図を参照して説明する。この魚巣付きブロック１１は、コンクリート製であり、例えば図５又は図６に示すように、河川又は水路の底（以下、「川底」と言う。）１０に設置して使用するものである。そして、図１及び図２に示すように、第１のブロック１２と第２のブロック１３とから成っており、この第１のブロック１２と第２のブロック１３とを互いに結合することにより１個の魚巣付きブロック１１が完成する。
この魚巣付きブロック１１は、図１に示すように、本体部１４を有し、この本体部１４の下面に基礎部１５が設けられている。
【００１７】
本体部１４は、図１及び図２に示すように、外形が縦長の略直方体であり、魚巣としての略直方体の空洞部１６が内部に形成されている。この魚巣付きブロック１１は、図３の平面図に示すように、本体部１４の１つの対角線を通る縦方向の分割面１７、１８によって第１のブロック１２と第２のブロック１３に分割されている。そして、第１のブロック１２に形成されている２つの側壁（壁部）１９、２０のうち正面側の１つの側壁１９には、２つの円形の魚の出入口２１、２１を縦に並べて設けてある。そして、第２のブロック１３に形成されている２つの側壁（壁部）２２、２３のうち、第１のブロック１２の魚の出入口２１が設けられている側壁１９と隣合う関係にある正面側の１つの側壁２２には、２つの円形の魚の出入口２１、２１を縦に並べて設けてある。これら４つの魚の出入口２１は空洞部１６と連通している。
【００１８】
このように、本体部１４の４つの側壁１９、２０、２２、２３のうち互いに隣合う正面側の２つの側壁１９、２２に魚の出入口２１を設け、背面側の側壁２０、２３に設けていないのは、図５に示すように、この魚巣付きブロック１１を魚の出入口２１が川の流れる方向（川下）７に向かうように予め定めた向きにして川底１０に設置することにより、土砂や小石が水の流れに伴って魚の出入口２１を通って空洞部１６内に流入することを防止するためである。そして、川の水が勢いよく魚の出入口２１を通って空洞部１６内に流入させないためである。これによって、空洞部１６内に産みつけられた魚の卵の流出を防止することができる。
【００１９】
また、第１及び第２の各ブロック１２、１３に設けられている２つの魚の出入口２１のうち下側の魚の出入口２１の下側縁部２１ａは、空洞部１６を形成する内側面の平坦な底面１６ａと略同一の高さに形成してある。これにより、空洞部１６内に土砂等が流入することがあってもこの下側の魚の出入口２１から流出させることができる。
更に、魚の出入口２１の形状を円形としたが、魚が通り易いように縦に長い楕円形、又は長円形としてもよい。
【００２０】
基礎部１５は、図１乃至図３に示すように、平面形状が略正方形の板状体であり、上面の中央部に本体部１４の下部が結合している。そして、図３の平面図に示すように、本体部１４の１つの対角線を通る分割面１７、１８は、基礎部１５の一辺と平行して基礎部１５の中心を通っている。従って、本体部１４の１つの対角線が基礎部１５の一辺と平行するように本体部１４と基礎部１５とが結合している。
このように構成することによって、平面形状が略正方形の基礎部１５の一辺を形成する縁部を岸壁に沿わせてこの魚巣付きブロック１１を川底１０に設置することにより、分割面１７、１８が通る本体部１４の対角線を川の水の流れる方向７に平行させることができる。この場合、基礎部１５の岸壁側の縁部をその岸壁に沿わせることができるので、見栄え良く設置することができる。そして、流水が図３に示す本体部１４の川上側の側壁２０、２３に衝突するが、この側壁２０、２３は水流の方向７に対して約４５°の角度で傾斜しているので、本体部１４に掛かる流水の抵抗を低減することができる。
【００２１】
そして、基礎部１５の４つの各角部の内側の上面に、上側開口縁の形状が矩形の凹部２４、・・・を設けてあり、これら４つの各凹部２４の中央にこの基礎部１５を上下方向に貫通する円形の貫通孔２５を設けてある。４つの各貫通孔２５は、土砂が通ることができる大きさであり、図５に示すように、川底１０に設置された状態で、特に基礎部１５の川下側の縁部１５ａの下側に堆積している土砂や小石２６が流水によって削られることがあっても、貫通孔２５内の土砂等２７、及び基礎部１５の上面に堆積している土砂等が各貫通孔２５を通ってその削られた部分に入り込み、これによって、基礎部１５の川下側の縁部１５ａの下側に深い窪みができないようにするためのものである。これによって、この川底１０に設置されているブロック１１が川下側に傾かないようにすることができる。
【００２２】
本体部１４の上部には、図１等に示すように、４つの各角部から水平方向に外側に向かって伸延する合計４本の突起２８を設けてある。この４本の突起２８は、消波の役目を果たすものであり、図５に示すように、その上部が栗石５の層２９の表面から露出するように川底１０に設置される。
【００２３】
また、図２（ａ）に示すように、第１のブロック１２の分割面１７の下縁には、突条３０を設けてあり、この突条３０の中央部に凸部３１を設けてある。そして、図２（ｂ）に示すように、第２のブロック１３の分割面１８の下縁には、突条３０及び凸部３１と嵌合可能な形状の溝３２及び嵌合用凹部３３を設けてある。
そして、図２に示すように、第１及び第２のブロック１２、１３の分割面１７、１８が形成されている合計４つの各突起２８ａ、２８ａ、２８ｂ、２８ｂには、分割面１７、１８と直交する方向にボルト３５の挿通孔３４を１つずつ設けてある。また、凸部３１には、分割面１７と平行する方向にボルト３６の挿通孔３７を設けてあり、嵌合用凹部３３の内面には、凸部３１に設けられている挿通孔３７と対応する位置に挿通孔３８を設けてある。この挿通孔３８にはボルト３６に螺合させるためのナットを埋め込んである。
【００２４】
第１と第２のブロック１２、１３を結合して魚巣付きブロック１１を完成させるときは、まず、図３及び図４に示すように、第１のブロック１２の突条３０及び凸部３１を第２のブロック１３の溝３２及び嵌合用凹部３３に嵌合させてそれぞれの分割面１７と１８を合わせる。これによって、第１及び第２のブロック１２、１３の各挿通孔３４、３４、３７、３８の互いに対応するものどうしを同一軸線上の位置に合わせることができる。そして、各挿通孔３４、３４、３７、３８にボルト３５、３６を挿通してボルトとナットにより第１と第２のブロック１２と１３を挟み込んで締め付ける。これによって魚巣付きブロック１１を完成させることができる。
この突条３０と溝３２により、比較的重量の重い第１と第２のブロック１２と１３の上下方向の位置合わせを簡単に行うことができる。そして、凸部３１と嵌合用凹部３３により、第１と第２のブロック１２と１３の分割面１７、１８と平行する水平方向の位置合わせを簡単に行うことができる。
【００２５】
更に、図３に示すように、基礎部１５に設けられている４つの凹部２４の各内側面から基礎部１５の縁部の外側面に水平方向に貫通する合計８個の挿通孔３９を設けてある。この挿通孔３９は、基礎部１５の４つの各縁部に２つずつ設けてある。各挿通孔３９は、図６に示すように、魚巣付きブロック１１を略同じ高さで水平に並べて基礎部１５の縁部を突き合わせて設置した状態で、互いに突き合わされているそれぞれの縁部に設けられている各挿通孔３９にボルト４０をそれぞれ挿通してボルト４０とナットにより隣接する魚巣付きブロック１１と１１を互いに連結するためのものである。このように、隣合う魚巣付きブロック１１と１１をボルト４０によって連結することにより、水の流れによって互いの位置関係がずれないようにすることができる。
【００２６】
上記のように構成された魚巣付きブロック１１は、例えば図５に示すように、複数の魚巣付きブロック１１（図５には１つを表している。）を互いに間隔を隔てて配置し、各魚巣付きブロック１１に設けられている４つの魚の出入口２１を川の流れる方向（川下の方向）７に向けた状態で川底１０に設置して使用することができる。図５に示す４１は土砂及び小石の層であり、２９は栗石５の層である。この魚巣付きブロック１１の２つの魚の出入口２１よりも下側の基礎部１５を含む部分が土砂等の層４１に埋め込まれており、４つの突起２８の上部が栗石５の層２９の表面から露出している。栗石５どうしの隙間は、魚が通ることができる寸法であり、魚はこの隙間を通って本体部１４に設けられている魚の出入口２１から空洞部１６内に入って住家とすることができる。
【００２７】
この魚巣付きブロック１１によると、流水によって川上から運ばれてきた土砂及び小石の一部がこの設置されている魚巣付きブロック１１の川上側の２つの側面２０、２３に沿って川下の側に運ばれることとなり、その結果、土砂等がこの魚巣付きブロック１１を川下側に押す力を低減することができる。一方、魚巣付きブロック１１の川下側の側面１９、２２の近傍の土砂等は、例えば増水により速度の速まった流水によって川下側に運ばれて、その部分に窪み４２が形成され、その窪み４２の深さが基礎部１５の下面にまで至ることがあるが、基礎部１５に設けられている貫通孔２５内の土砂等、及び基礎部１５の上面に堆積する土砂等がこの貫通孔２５を通って基礎部１５の下面に入り込み、これによって、基礎部１５の下面の川下側の部分に深い窪みができないようにすることができる。その結果、この川底１０に設置されているブロック１１が川下側に傾かないようにすることができる。
【００２８】
そして、この魚巣付きブロック１１は、第１と第２のブロック１２、１３を結合して成るものであるから、各ブロック１２、１３の嵩が完成された魚巣付きブロック１１よりも小さくなり、その結果、製造が容易であり、更に、この魚巣付きブロック１１を設置するときは、各ブロック１２、１３ごとに比較的簡単に運搬して施工することができる。
【００２９】
また、この魚巣付きブロック１１は、空洞部１６を通る分割面１７、１８で分割された第１のブロック１２と第２のブロック１３とから成っているので、この第１と第２のブロック１２、１３を別々に製造して結合することによりこの空洞部１６を有する本体部１４を比較的簡単に製造することができる。そして、本体部１４が空洞部１６を通る縦の分割面１７、１８で分割されているので、魚巣付きブロック１１を川底１０に設置した際に、空洞部１６内の空気がこの合わせ面から抜け出て空洞部１６内に水が流入し、魚の住家として有効に機能させることができる。
【００３０】
そして、魚巣付きブロック１１を川底１０に設置した際に、基礎部１５の下側の土砂に含まれている空気がこの魚巣付きブロック１１を持ち上げる方向の浮力として働くが、この空気を基礎部１５に設けられている４つの貫通孔２５を通して基礎部１５の下面から上方に逃がすことができるし、第１と第２のブロック１２、１３の分割面１７と１８の隙間からも上方に逃がすことができ、これにより、この設置されている魚巣付きブロック１１の安定性を確保することができる。また、川の水の一部は基礎部１５の下側の土砂内を流れて魚巣付きブロック１１を持ち上げる方向の力として働くが、この流水も各貫通孔２５を通して基礎部１５の下面から上方に逃がすことができるし、第１と第２のブロック１２、１３の分割面１７と１８の隙間からも上方に逃がすことができるので、魚巣付きブロック１１の安定性を確保することができる。
なお、基礎部１５の下側の空気や流水を魚巣付きブロック１１の上側に更に効率よく逃がすことができるように、第１と第２のブロック１２、１３の各分割面１７、１８に空気及び水の逃がし溝（図示せず）を設けてもよい。
【００３１】
更に、図６に示すように、２以上の魚巣付きブロック１１を略同じ高さで水平に並べて設置した状態で、隣合う基礎部１５の縁部が互いに接触してこれら基礎部１５がその下側に堆積する土砂等を覆っているので、基礎部１５の下に堆積する土砂等が水に流されないようにすることができる。これによって、基礎部１５の下の土砂等の層に窪みができないようにすることができるので、魚巣付きブロック１１が傾斜しないようにすることができる。
なお、この複数設置されている魚巣付きブロック１１のうち端の部分に設置されているものは、基礎部１５に覆われていない土砂等の層が隣接しているので、その部分の土砂及びこの端の部分に設置されている魚巣付きブロック１１の基礎部１５の下面の土砂等が水に流されることがあるが、基礎部１５の上面に堆積する土砂等がこの基礎部１５に設けられている貫通孔２５を通って基礎部１５の下面に入り込み、これによって、基礎部１５の下面の土砂等に窪みができないようにすることができる。
【００３２】
因みに、この魚巣付きブロック１１の高さが約８５ｃｍ、基礎部１５の横の長さ及び奥行きがそれぞれ約１００ｃｍ、魚の出入口２１の直径が約１０ｃｍ、貫通孔２５の直径が約１６ｃｍ、ボルト３５、３６、４０の呼び径が１０ｍｍである。そして、魚巣付きブロック１１の重量が約６３０ｋｇである。
【００３３】
ただし、上記実施形態では、本体部１４の外形を略直方体としたが、これ以外の形状としてもよく、例えば外形を円柱、又は多角柱としてもよい。
そして、上記実施形態では、図５に示すように、本体部１４を基準にして基礎部１５の川上側及び川下側に貫通孔２５を２つずつ設けた構成としたが、川上側の２つの貫通孔２５を省略した構成としてもよい。
また、上記実施形態では、魚巣付きブロック１１を川底１０に設置した例を示したが、海底に設置してもよい。この場合、図５及び図６に示すものと同様に、魚の出入口２１が海水の流れる方向に向かうようにこの魚巣付きブロック１１を設置する。
更に、上記実施形態では、魚巣付きブロックを第１と第２の２つのブロック１２、１３に分割した例を示したが、製造の簡単化、並びに運搬及び施工の簡単化を図るために、３つ以上のブロックに分割した構成としてもよい。
【００３４】
【発明の効果】
以上のように、本発明に係る魚巣付きブロックは、水流中での姿勢の安定性が良好で、かつ魚類の生育環境を良好に維持することができ、分割状態で製造できるために製造及び運搬の面でも有利である。
【図面の簡単な説明】
【図１】この発明の一実施形態に係る魚巣付きブロックの正面斜視図である。
【図２】（ａ）は同実施形態に係る第１のブロックの内側面を示す斜視図、（ｂ）は同実施形態に係る第２のブロックの内側面を示す斜視図である。
【図３】同実施形態に係る魚巣付きブロックの平面図である。
【図４】同実施形態に係る魚巣付きブロックの正面図である。
【図５】同実施形態に係る魚巣付きブロックを１つずつ間隔を隔てて設置した状態を示す部分切欠側面図である。
【図６】同実施形態に係る魚巣付きブロックを複数個連結して設置した状態を示す側面図である。
【図７】従来の十字ブロックを複数個連結して設置した状態を斜め上方から見た斜視図である。
【図８】図７に示す従来の十字ブロックのうちの１つの設置した状態を示す側面図である。
【符号の説明】
１０  川底
１１  魚巣付きブロック
１２  第１のブロック
１３  第２のブロック
１４  本体部
１５  基礎部
１６  空洞部
１７、１８  分割面
２１  魚の出入口
２５  貫通孔
３０  突条
３１  凸部
３２  溝
３３  嵌合用凹部
【図１】
0003844895.tif 000002
【図２】
0003844895.tif 000003
【図３】
0003844895.tif 000004
【図４】
0003844895.tif 000005
【図５】
0003844895.tif 000006
【図６】
0003844895.tif 000007
【図７】
0003844895.tif 000008
【図８】
0003844895.tif 000009